(57)【要約】【課題】    空掛け状態であることが利用者から判別しやすく操作性を向上させることができる錠装置および建具を提供すること。【解決手段】障子２，３が閉じていない非閉鎖状態で施錠操作をした場合、検知部材１６の突出部１６３が錠受けとの当接位置を超える位置まで回動することで、錠受けが係合可能位置にないことが検知されるとともに、検知部材１６の係止ピン１６４と操作部材１５の凹溝１５７とが嵌合して操作部材１５の移動が規制され、クレセント錠１１の空掛けを防止することができる。そして、この検知した位置で施錠操作を中止すれば、コイルばね１８の付勢力により自動的に操作部材１５および鎌錠１４が解錠状態に戻されるため、空掛け状態であることが利用者から容易に判別でき、操作性を向上させることができる。【選択図】  図２
2006132244.tif 000002
【特許請求の範囲】
【請求項１】
クレセント錠と、このクレセント錠が係合する錠受けとを備えた錠装置であって、
前記クレセント錠は、台座と、この台座に回動自在に軸支された鎌錠と、この鎌錠に連結された操作部材と、これらの鎌錠または操作部材を解錠方向に付勢する付勢手段と、前記操作部材に連動して前記錠受けの位置を検知する検知部材と、を備えて構成され、
前記操作部材は、前記台座にスライド移動自在に支持され、この操作部材のスライド操作に伴って前記鎌錠が施錠状態と解錠状態との間を回動移動され、
前記検知部材には、前記錠受けに向かって突出する方向に付勢された検知部と、前記操作部材のスライド移動を規制する規制部とが設けられ、前記操作部材には、前記検知部材の規制部に係止される被規制部が設けられ、
前記錠受けが係合可能位置にない状態で前記操作部材を操作した場合には、前記検知部材の検知部が所定量だけ突出することで、前記操作部材の被規制部が前記規制部に係止されて当該操作部材の移動が規制され、
前記錠受けが係合可能位置にある状態で前記操作部材を操作した場合には、前記検知部材の検知部が前記錠受けに当接して前記所定量まで突出しないことで、前記操作部材の被規制部が前記規制部に係止されず、当該操作部材のスライド操作が継続されて前記鎌錠が施錠状態まで回動可能に構成されている錠装置。
【請求項２】
前記操作部材には、当該操作部材のスライド方向に交差して長く形成された長孔が設けられ、前記鎌錠における回動軸から偏心した位置には、前記操作部材の長孔に挿入される連結ピンが設けられており、
前記操作部材のスライド操作に伴い、前記長孔に前記連結ピンが案内されて前記鎌錠が回動される請求項１に記載の錠装置。
【請求項３】
前記操作部材には、室内側から操作可能に設けられたつまみ部と、このつまみ部に連動してスライドする連動部とが設けられ、この連動部に形成された凹溝から前記被規制部が構成され、
前記検知部材は、前記台座に回動自在に軸支されるとともに、この軸支位置を挟んで一方側に前記検知部が形成され、他方側に形成された係止ピンから前記規制部が構成され、前記検知部が所定量だけ突出することで前記係止ピンと前記凹溝とが嵌合される請求項１または請求項２に記載の錠装置。
【請求項４】
少なくとも一方が開閉可能に設けられた室内外一対の障子と、これら一対の障子のうちの室内側障子の召合せ框に設けられたクレセント錠と、このクレセント錠が係合可能に室外側障子の召合せ框に設けられた錠受けとを備えた建具であって、
前記クレセント錠は、前記室内側の召合せ框に固定される台座と、この台座に回動自在に軸支された鎌錠と、この鎌錠に連結された操作部材と、これらの鎌錠または操作部材を解錠方向に付勢する付勢手段と、前記操作部材に連動して前記障子の閉鎖状態および非閉鎖状態を検知する検知部材と、を備えて構成され、
前記操作部材は、前記台座にスライド移動自在に支持され、この操作部材のスライド操作に伴って前記鎌錠が施錠状態と解錠状態との間を回動移動され、
前記検知部材には、前記室外側障子に向かって突出する方向に付勢された検知部と、前記操作部材のスライド移動を規制する規制部とが設けられ、前記操作部材には、前記検知部材の規制部に係止される被規制部が設けられ、
前記障子の非閉鎖状態で前記操作部材を操作した場合には、前記検知部材の検知部が所定量だけ突出することで、前記操作部材の被規制部が前記規制部に係止されて当該操作部材の移動が規制され、
前記障子の閉鎖状態で前記操作部材を操作した場合には、前記検知部材の検知部が前記錠受けまたは前記室外側の召合せ框に当接して前記所定量まで突出しないことで、前記操作部材の被規制部が前記規制部に係止されず、当該操作部材のスライド操作が継続されて前記鎌錠が施錠状態まで回動可能に構成されている建具。
【請求項５】
前記操作部材には、室内側から操作可能に設けられたつまみ部と、このつまみ部に連動してスライドする連動部とが設けられ、この連動部に形成された凹溝から前記被規制部が構成され、
前記検知部材は、前記台座に回動自在に軸支されるとともに、この軸支位置を挟んで一方側に前記検知部が形成され、他方側に形成された係止ピンから前記規制部が構成され、前記検知部が所定量だけ突出することで前記係止ピンと前記凹溝とが嵌合される請求項４に記載の建具。
【発明の詳細な説明】
【技術分野】
【０００１】
本発明は、錠装置および建具に関し、詳しくは、クレセント錠と錠受けとを備えた錠装置、および室内外一対の障子のうちの室内側障子の召合せ框に設けられたクレセント錠と室外側障子の召合せ框に設けられた錠受けとを備えた建具に関する。
【背景技術】
【０００２】
従来、引違い窓や片引き窓等を施錠するための錠装置として召合せ框に設けられるクレセント錠および錠受けが一般的である。このクレセント錠は、通常、室内側障子の召合せ框に回動可能に設けられた鎌錠が、室外側障子の召合せ框に設けられた錠受けに係合して施錠できるようになっている。このようなクレセント錠において、錠受けが係合可能な位置にない状態で施錠操作をしてしまう空掛けを防止する機構が提案されている（例えば、特許文献１参照）。
【０００３】
特許文献１に記載されたクレセント錠では、室外側障子に向かって突出しかつ突出方向に付勢されたトリガと、このトリガおよび鎌錠に係合可能な回動キーとが設けられ、トリガが突出したままでは回動キーにより鎌錠の回動操作が規制されることで、空掛けが防止できるようになっている。そして、室内外の障子が閉じられて錠受けが係合可能な位置にある場合には、トリガが室外側召合せ框に当接して室内方向に没入し、これに連動して回動キーが回動することで、規制が外れて鎌錠を施錠方向に操作できるようになっている。
【０００４】
【特許文献１】特開２００３−２７８１１号公報
【発明の開示】
【発明が解決しようとする課題】
【０００５】
しかしながら、従来のクレセント錠は、トリガが突出した状態における鎌錠が回動キーで回動規制され、施錠操作できないことにより空掛け状態であることを利用者に知らせるものであるため、施錠状態なのか空掛け状態なのかが瞬時に判断できず、利便性の点で問題がある。すなわち、空掛け状態および既に施錠された状態のいずれであっても、それ以上に鎌錠を施錠操作することができないため、利用者は障子を押し引きするなどして確認した上で、空掛け状態であれば再度施錠操作をやり直す必要があり、操作性の点で不便である。
【０００６】
本発明の目的は、空掛け状態であることが利用者から判別しやすく操作性を向上させることができる錠装置および建具を提供することにある。
【課題を解決するための手段】
【０００７】
本発明の錠装置は、クレセント錠と、このクレセント錠が係合する錠受けとを備えた錠装置であって、前記クレセント錠は、台座と、この台座に回動自在に軸支された鎌錠と、この鎌錠に連結された操作部材と、これらの鎌錠または操作部材を解錠方向に付勢する付勢手段と、前記操作部材に連動して前記錠受けの位置を検知する検知部材と、を備えて構成され、前記操作部材は、前記台座にスライド移動自在に支持され、この操作部材のスライド操作に伴って前記鎌錠が施錠状態と解錠状態との間を回動移動され、前記検知部材には、前記錠受けに向かって突出する方向に付勢された検知部と、前記操作部材のスライド移動を規制する規制部とが設けられ、前記操作部材には、前記検知部材の規制部に係止される被規制部が設けられ、前記錠受けが係合可能位置にない状態で前記操作部材を操作した場合には、前記検知部材の検知部が所定量だけ突出することで、前記操作部材の被規制部が前記規制部に係止されて当該操作部材の移動が規制され、前記錠受けが係合可能位置にある状態で前記操作部材を操作した場合には、前記検知部材の検知部が前記錠受けに当接して前記所定量まで突出しないことで、前記操作部材の被規制部が前記規制部に係止されず、当該操作部材のスライド操作が継続されて前記鎌錠が施錠状態まで回動可能に構成されていることを特徴とする。
【０００８】
以上の錠装置によれば、錠受けが係合可能位置にない状態で施錠操作をしてしまっても、検知部材により操作部材の移動が規制されるので、空掛けを防止することができる。この際、検知部材の検知部が所定量だけ突出するまで操作部材をスライド操作することで、錠受けが係合可能位置にないことが検知されるとともに、この検知した位置で操作を中止すれば、付勢手段の付勢力により操作部材および鎌錠が解錠状態に戻されるため、空掛け状態であることを利用者が容易に判別できる。一方、錠受けが係合可能位置にあれば、鎌錠が錠受けに係合して施錠することができるとともに、この施錠した状態では、それ以上操作部材を施錠方向にスライドさせることができないことから、施錠状態であることが判別できる。従って、空掛け状態および既に施錠された状態のいずれであるかが利用者から判別しやすく、操作性を向上させることができる。
そして、操作部材のスライド操作に連動して検知部材が突出することで、従来のクレセント錠のように常にトリガを突出させておく必要がなく、余計な出っ張りのない錠装置を構成することができる。
【０００９】
この際、本発明の錠装置では、前記操作部材には、当該操作部材のスライド方向に交差して長く形成された長孔が設けられ、前記鎌錠における回動軸から偏心した位置には、前記操作部材の長孔に挿入される連結ピンが設けられており、前記操作部材のスライド操作に伴い、前記長孔に前記連結ピンが案内されて前記鎌錠が回動されることが好ましい。
このような構成によれば、長孔と連結ピンとで操作部材と鎌錠とを連結したことで、操作部材のスライド操作に伴って鎌錠が回動する機構を簡単かつ安価に構成することができる。
【００１０】
さらに、本発明の錠装置では、前記操作部材には、室内側から操作可能に設けられたつまみ部と、このつまみ部に連動してスライドする連動部とが設けられ、この連動部に形成された凹溝から前記被規制部が構成され、前記検知部材は、前記台座に回動自在に軸支されるとともに、この軸支位置を挟んで一方側に前記検知部が形成され、他方側に形成された係止ピンから前記規制部が構成され、前記検知部が所定量だけ突出することで前記係止ピンと前記凹溝とが嵌合されることが好ましい。
ここで、操作部材のつまみ部と連動部とは、一体に形成されていてもよく、また別体からなるものを連結して形成されていてもよい。
このような構成によれば、操作部材のスライド操作に連動して回動した検知部材の係止ピンと、操作部材の凹溝とが嵌合することで、操作部材のスライド移動を確実に規制して空掛けを防止することができる。
【００１１】
一方、本発明の建具は、少なくとも一方が開閉可能に設けられた室内外一対の障子と、これら一対の障子のうちの室内側障子の召合せ框に設けられたクレセント錠と、このクレセント錠が係合可能に室外側障子の召合せ框に設けられた錠受けとを備えた建具であって、前記クレセント錠は、前記室内側の召合せ框に固定される台座と、この台座に回動自在に軸支された鎌錠と、この鎌錠に連結された操作部材と、これらの鎌錠または操作部材を解錠方向に付勢する付勢手段と、前記操作部材に連動して前記障子の閉鎖状態および非閉鎖状態を検知する検知部材と、を備えて構成され、前記操作部材は、前記台座にスライド移動自在に支持され、この操作部材のスライド操作に伴って前記鎌錠が施錠状態と解錠状態との間を回動移動され、前記検知部材には、前記室外側障子に向かって突出する方向に付勢された検知部と、前記操作部材のスライド移動を規制する規制部とが設けられ、前記操作部材には、前記検知部材の規制部に係止される被規制部が設けられ、前記障子の非閉鎖状態で前記操作部材を操作した場合には、前記検知部材の検知部が所定量だけ突出することで、前記操作部材の被規制部が前記規制部に係止されて当該操作部材の移動が規制され、前記障子の閉鎖状態で前記操作部材を操作した場合には、前記検知部材の検知部が前記錠受けまたは前記室外側の召合せ框に当接して前記所定量まで突出しないことで、前記操作部材の被規制部が前記規制部に係止されず、当該操作部材のスライド操作が継続されて前記鎌錠が施錠状態まで回動可能に構成されていることを特徴とする。
【００１２】
以上の建具によれば、前述の錠装置と同様に、空掛け状態および既に施錠された状態のいずれであるかが利用者から判別しやすく、施錠操作性を向上させることができる。
この際、本発明の建具としては、引違い窓や片引き窓、上げ下げ窓等の引違い形式のサッシ窓が好適である。
【００１３】
また、本発明の建具では、前記操作部材には、室内側から操作可能に設けられたつまみ部と、このつまみ部に連動してスライドする連動部とが設けられ、この連動部に形成された凹溝から前記被規制部が構成され、前記検知部材は、前記台座に回動自在に軸支されるとともに、この軸支位置を挟んで一方側に前記検知部が形成され、他方側に形成された係止ピンから前記規制部が構成され、前記検知部が所定量だけ突出することで前記係止ピンと前記凹溝とが嵌合されることが好ましい。
このような構成によれば、前述の錠装置と同様に、係止ピンと凹溝とが嵌合することで、操作部材のスライド移動を確実に規制して空掛けを防止することができる。
【発明を実施するための最良の形態】
【００１４】
以下、本発明の実施形態を図面に基づいて説明する。
図１は、本発明の実施形態に係る建具である引違い窓１の一部を示す横断面図である。図２は、引違い窓１に設けられた錠装置１０を示す分解斜視図である。図３(Ａ)〜(Ｄ)および図４(Ａ)〜(Ｃ)は、それぞれ錠装置１０の施錠時の動作を示す側面図および断面図である。図５(Ａ)〜(Ｃ)は、錠装置１０の空掛け時の動作を示す断面図である。
【００１５】
図１、２において、引違い窓１は、図示しない窓枠内部に開閉自在に支持された室内外一対の障子２，３を有して構成されている。障子２，３は、上下左右の框を四周框組みした内部に、ガラスパネル４を嵌め込んで構成されており、召合せ部の縦框（召合せ框）５，６が見込み方向に重なって閉じるようになっている。そして、障子２，３は、室内側障子２の召合せ框５に固定されたクレセント錠１１と、室外側障子３の召合せ框６に固定された錠受け１２とで構成された錠装置１０によって施錠されるようになっている。
【００１６】
クレセント錠１１は、室内側障子２の召合せ框５に固定される台座１３と、この台座１３に回動自在に軸支された鎌錠１４と、この鎌錠１４に連結された操作部材１５と、この操作部材１５に連動して錠受けの位置を検知する検知部材１６とを有して構成されている。また、台座１３には、カバー部材１７が係合されており、このカバー部材１７に覆われて鎌錠１４が室内側から見えないようになっている。そして、操作部材１５は、室内側から操作可能に設けられたつまみ部１５Ａと、このつまみ部１５Ａに連動して台座１３の内側で上下にスライドする連動部１５Ｂとを有して構成されるとともに、付勢手段であるコイルばね１８によって下方（解錠方向）に付勢されている。また、検知部材１６は、台座１３に回動自在に軸支され、ねじりコイルばね１６Ａによって室外側障子３（錠受け１２）に向かって突出する方向に付勢されている。
【００１７】
台座１３は、召合せ框５に向かって開口された全体略箱形に形成され、召合せ框５に対向する面に形成されて鎌錠１４を軸支するための軸受け孔１３１と、召合せ框５側に突出して検知部材１６を軸支するための軸支ピン１３２と、室外側障子３側に形成された突出開口１３３とを有している。
鎌錠１４は、板状の鎌錠本体１４１と、略円弧状に形成されて錠受け１２に係合する係合部１４２とを有し、ピン１４Ａ（回動軸）により台座１３に軸支されている。そして、鎌錠本体１４１には、ピン１４Ａが挿通される挿通孔１４３と、この挿通孔１４３から偏心して台座１３の反対側に突出した連結ピン１４４とが設けられている。
【００１８】
操作部材１５のつまみ部１５Ａは、室内側に露出したつまみ本体１５１と、このつまみ本体１５１から室外側に向かって突出した２つの突起部１５２，１５３とを有して形成されている。そして、一方の突起部１５２には、操作部材１５のスライド方向に交差して長く（室内外方向に長く）形成され、鎌錠１４の連結ピン１４４を挿通させる長孔１５４が形成されている。また、他方の突起部１５３は、連動部１５Ｂに嵌合され、これによりつまみ部１５Ａと連動部１５Ｂとが一体でスライドできるようになっている。
連動部１５Ｂは、連動部本体１５５と、この連動部本体１５５の上端部から室外側に突出して検知部材１６の係止ピン１６４（後述）を案内する案内部１５６と、この案内部１５６の下側基端部において室内側に凹んだ凹溝１５７とを有して形成されている。そして、連動部１５Ｂの上端面と台座１３との間にコイルばね１８が配設されている。
【００１９】
検知部材１６は、板状の検知部材本体１６１と、この検知部材本体１６１に設けられて台座１３の軸支ピン１３２が挿通される挿通孔１６２と、この挿通孔１６２の上側（一方側）に室外側に突出して形成された突出部１６３と、挿通孔１６２を挟んで突出部１６３の他方側に形成された係止ピン１６４とを有して構成されている。検知部材１６の突出部１６３は、台座１３の突出開口１３３を通して室外側に向かって出没自在になっており、錠受け１２に当接可能に構成されている。また、突出部１６３が錠受け１２に当接する位置以上に検知部材１６が回動した場合には、検知部材１６の係止ピン１６４は、操作部材１５の凹溝１５７に嵌合するようになっている。すなわち、検知部材１６の突出部１６３によって検知部が構成され、係止ピン１６４によって係止部が構成され、操作部材１５の凹溝１５７によって被係止部が構成されている。
【００２０】
次に、錠装置１０の動作について、図３〜図５も参照して説明する。
ここで、錠装置１０における施錠操作とは、クレセント錠１１の鎌錠１４が解錠状態にあり係合部１４２が錠受け１２に係合していない状態から、操作部材１５のつまみ本体１５１を上方に操作して鎌錠１４を施錠方向に回動させる操作である。
また、錠装置１０における解錠操作とは、クレセント錠１１の鎌錠１４が施錠状態にあり係合部１４２が錠受け１２に係合した状態から、操作部材１５のつまみ本体１５１を下方に操作して鎌錠１４を解錠方向に回動させる操作である。
【００２１】
先ず、図３、４に示すように、錠受け１２が係合可能位置にある状態、すなわち室内外の障子２，３が閉じている閉鎖状態で、操作部材１５のつまみ本体１５１を上方にスライドさせた場合には、図３に示すように、操作部材１５の長孔１５４に鎌錠１４の連結ピン１４４が案内され、これにより鎌錠１４が回動し、係合部１４２が錠受け１２に係合して施錠される。この際、図４に示すように、操作部材１５の連動部１５Ｂがコイルばね１８の付勢力に抗して上方に移動されることで、案内部１５６に沿って係止ピン１６４が移動することで、ねじりコイルばね１６Ａに付勢された検知部材１６が回動し、突出部１６３が台座１３の突出開口１３３から室外側に向かって突出する。この突出した突出部１６３が錠受け１２に当接して検知部材１６の回動が規制され、係止ピン１６４と凹溝１５７とが嵌合することなく操作部材１５のスライド操作が継続されるようになっている。
【００２２】
一方、図５に示すように、錠受け１２が係合可能位置にない状態、すなわち室内外の障子２，３が閉じていない非閉鎖状態で、操作部材１５のつまみ本体１５１を上方にスライドさせた場合には、突出した突出部１６３が錠受け１２に当接しないため、この当接位置を超えて検知部材１６が回動し、係止ピン１６４が凹溝１５７に嵌合することで、操作部材１５の移動が規制されるようになっている。従って、移動が規制された位置以上に操作部材１５を操作することができず、空掛け状態であることが利用者から判別できるようになっている。そして、操作部材１５のつまみ本体１５１から指や手を離せば、コイルばね１８の付勢力によって操作部材１５が下方に移動されて鎌錠１４が解錠方向に向かって回動され、自動的に解錠状態に戻される。
【００２３】
このような本実施形態によれば、以下のような効果がある。
（１）すなわち、障子２，３が閉じていない非閉鎖状態で施錠操作をしてしまっても、検知部材１６により操作部材１５の移動が規制されるので、空掛けを防止することができる。この際、検知部材１６の突出部１６３が錠受け１２との当接位置を超える位置まで操作部材１５をスライド操作することで、錠受け１２が係合可能位置にないことが検知されるとともに、この検知した位置で操作を中止すれば、コイルばね１８の付勢力により自動的に操作部材１５および鎌錠１４が解錠状態に戻されるため、空掛け状態であることが利用者から容易に判別できる。
【００２４】
（２）一方、障子２，３が閉じていれば、鎌錠１４が錠受け１２に係合して施錠することができるとともに、この施錠した状態では、それ以上操作部材１５を上方にスライドさせることができないことから、施錠状態であることが判別できる。従って、空掛け状態および既に施錠された状態のいずれの状態であるかが利用者から判別しやすく、操作性を向上させることができる。
【００２５】
（３）さらに、操作部材１５のスライド操作に連動して回動した検知部材１６の係止ピン１６４と、操作部材１５の凹溝１５７とが嵌合することで、操作部材１５のスライド移動を確実に規制して空掛けを防止することができる。
【００２６】
（４）また、操作部材１５のスライド操作に連動して検知部材１６の突出部１６３が室外側に突出することで、従来のクレセント錠のように常にトリガを突出させておく必要がなく、余計な出っ張りのない錠装置１０を構成することができる。
【００２７】
（５）また、長孔１５４と連結ピン１４４とで操作部材１５と鎌錠１４とを連結したことで、操作部材１５のスライド操作に伴って鎌錠１４が回動する機構を簡単かつ安価に構成することができる。
【００２８】
なお、本発明は、前記各実施形態に限定されるものではなく、本発明の目的を達成できる他の構成等を含み、以下に示すような変形等も本発明に含まれる。
例えば、前記各実施形態においては、引違い窓１に錠装置１０を設けた例を示したが、本発明の建具はこのような引違い窓１に限られず、片引き窓や上げ下げ窓等であってもよい。また、錠装置は、引き違い形式の窓や戸以外にも適用可能であり、例えば、開き窓や縦辷り出し窓等のスイングタイプの窓や戸に設けてもよく、さらに窓や戸以外の開閉部材の施錠に本発明の錠装置を用いてもよい。
【００２９】
また、前記実施形態では、操作部材１５のつまみ本体１５１を上方にスライドさせて施錠操作を行うように錠装置１０を構成したが、これに限らず、クレセント錠１１を上下反転させて取り付けて操作部材１５を下方にスライドさせて施錠操作を行うようにしてもよく、また操作部材を左右にスライドさせて施錠操作を行うようにしてもよい。
また、前記実施形態では、鎌錠１４の回動方向と検知部材１６の回動方向とが同一に構成されていたが、これに限らず、鎌錠と検知部材とが互いに逆方向に回動するように構成してもよく、互いの回動軸が交差するように構成してもよい。
また、検知部材１６の突出部１６３は、錠受け１２に当接するものに限らず、室外側障子３の召合せ框６に当接するように構成されていてもよく、また検知用の被当接部を室外側障子３に設けておき、この被当接部に突出部１６３が当接するようにしてもよい。
【００３０】
また、前記実施形態では、台座１３に回動自在に支持された検知部材１６を用いたが、検知部材としては、室外側障子３（錠受け１２）に向かって出没する方向に進退移動自在に支持されたものでもよい。この際、検知部材には、前記実施形態と同様の検知ピンを設け、操作部材には、検知ピンを案内する傾斜を有した長孔を設けておき、操作部材のスライド操作に伴って検知部材が進退移動するように構成すればよい。そして、操作部材の長孔の途中に係止ピンと係合する係合溝等を形成し、錠受けが係合可能位置にない場合に係合溝と係止ピンとが係合するようにしておけば、前記実施形態と同様に、操作部材のスライド移動を規制して、空掛け防止機構が構成できる。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００３２】
【図１】本発明の実施形態に係る建具の一部を示す横断面図である。
【図２】前記建具に設けられた錠装置を示す分解斜視図である。
【図３】(Ａ)〜(Ｄ)は、前記錠装置の施錠時の動作を示す側面図である。
【図４】(Ａ)〜(Ｃ)は、前記錠装置の施錠時の動作を示す断面図である。
【図５】(Ａ)〜(Ｃ)は、前記錠装置の空掛け時の動作を示す断面図である。
【符号の説明】
【００３３】
１…建具である引違い窓、２，３…障子、５，６…召合せ框、１０…錠装置、１１…クレセント錠、１２…錠受け、１３…台座、１４…鎌錠、１５…操作部材、１５Ａ…つまみ部、１５Ｂ…連動部、１６…検知部材、１８…付勢部材であるコイルばね、１４４…連結ピン、１５４…長孔、１５７…被規制部である凹溝、１６３…検知部である突出部、１６４…規制部である係止ピン。
【図１】
2006132244.tif 000003
【図２】
2006132244.tif 000004
【図３】
2006132244.tif 000005
【図４】
2006132244.tif 000006
【図５】
2006132244.tif 000007